(57)【特許請求の範囲】
【請求項１】
投入ばねを蓄勢する蓄勢部を有し、上記投入ばねを蓄勢後に指令を与えて放勢することにより主回路通電部を閉路させる遮断器本体と、この遮断器本体を引出可能に収容する引出枠と、外部から引出ハンドルを操作部に挿入しその操作により上記遮断器本体を上記引出枠に出し入れする引出機構と、上記投入ばねを上記遮断器本体の外部から手動操作で蓄勢する手動操作ハンドル装置とを備えた引出形遮断器において、
上記手動操作ハンドル装置は、上記投入ばねを蓄勢する上記蓄勢部の駆動軸に固着された軸部と、この軸部に着脱可能に設けられた棒部とで構成され、上記棒部には上記引出機構の上記操作部に係合可能な係合部を備えていることを特徴とする引出形遮断器。
【請求項２】
上記棒部は折畳み可能な把持部を備えていることを特徴とする請求項１記載の引出形遮断器。
【請求項３】
上記把持部は、上記棒部の着脱側とは反対側の端部近傍を回動中心として、上記棒部の軸線に対し略９０度開閉可能に設けられていることを特徴とする請求項２記載の引出形遮断器。
【発明の詳細な説明】
【技術分野】
【０００１】
この発明は、筐体の外部よりハンドルを操作して投入ばねを蓄勢した後、指令を与えることにより蓄勢力で通電部を閉じさせる遮断器（特に気中遮断器）のうち、配電盤などに装着され、必要に応じて内部に収容した遮断器本体を出し入れできる引出形遮断器に関し、詳しくは投入ばねを蓄勢させるためのハンドル部の構成に関するものである。
【背景技術】
【０００２】
気中遮断器は、一般にビル，工場などの主幹用遮断器として使用されることが多い。それ故、電路の開閉機器として、開閉耐久機能が求められている。このような遮断器の開閉操作、特に閉操作の過程で、例えば、遮断器に具備された投入ばねをハンドルの手動操作で一旦蓄勢し、その蓄勢力を放勢して接点を閉じるように構成された技術が知られている（例えば、特許文献１参照）。
【０００３】
ところで、この主幹用遮断器としての気中遮断器は、保守点検において電源や負荷に接続された外部電線を端子から取り外したり、遮断器自体を構造物から取り外す手間を省くため、引出形遮断器とすることが多い。例えば、図５は従来の引出形遮断器を示す斜視図であり、遮断器本体５１を引出枠５２から引出した状態を示している。配電盤などの構造物に固定した引出枠５２には、一端に遮断器本体５１が取付けられた伸縮可能な引出レール５３が設けられており、図の状態から所定の位置まで挿入後、挿入孔５４に引出ハンドル５５を挿入して時計方向に回転させると、内部の引出機構のメインスクリューが回転して引出レール５３が縮み、遮断器本体５１が引出枠５２に挿入され、遮断器本体５１側の導体が引出枠５２側の主回路ジャンクションに圧入されて接続が完了する。また、遮断器本体５１を引出枠５２から取り外すこともできるようになっている（例えば、特許文献２参照）。
【０００４】
【特許文献１】特開平３−２０１３３０号公報（第６〜７頁、第１図）
【特許文献２】特開２００３−３０８７６４号公報（第３頁、図１）
【発明の開示】
【発明が解決しようとする課題】
【０００５】
上記のように、特許文献１に示すような遮断器には、外部から投入ばねを付勢するための手動操作ハンドル装置が具備されている。
一方、引出形遮断器の引出及び挿入操作は、配電盤などへの設置または遮断器の保守点検時などにのみ行い、その操作に使用する引出ハンドルは通常の使用状態では必要としない。しかしながら、上記の特許文献２に示すような従来の引出形遮断器では、遮断器の近傍へ引出ハンドルを常備しておく必要があり、このための収納スペースの確保や、場合によってはその保持のための追加加工や別部材が必要になるなど、特に使用者の使い勝手の点で問題があった。また、引出ハンドルを遮断器とは別の場所に保管すると、例えば、紛失などにより、緊急の保守点検時に支障をきたす恐れがあった。
【０００６】
この発明は、上記のような課題を解決するためになされたもので、引出形遮断器の筐体に組み込まれた手動操作ハンドル装置を活用することにより、遮断器本体を引出枠に挿入又は引出し操作する引出ハンドルを個別に必要としない引出形遮断器を得ることを目的とする。
【課題を解決するための手段】
【０００７】
この発明に係わる引出形遮断器は、投入ばねを蓄勢する蓄勢部を有し、投入ばねを蓄勢後に指令を与えて放勢することにより主回路通電部を閉路させる遮断器本体と、この遮断器本体を引出可能に収容する引出枠と、外部から引出ハンドルを操作部に挿入しその操作により遮断器本体を引出枠に出し入れする引出機構と、投入ばねを遮断器本体の外部から手動操作で蓄勢する手動操作ハンドル装置とを備えた引出形遮断器において、手動操作ハンドル装置は、投入ばねを蓄勢する蓄勢部の駆動軸に固着された軸部と、この軸部に着脱可能に設けられた棒部とで構成され、棒部には引出機構の操作部に係合可能な係合部が備えられているものである。
【発明の効果】
【０００８】
この発明の引出形遮断器によれば、閉操作のために必要な手動操作ハンドル装置を、蓄勢部の駆動軸に固着された軸部とその軸部に取外し可能に設けた棒部とで構成し、棒部には引出機構の操作部に係合可能な係合部を備えたので、必要に応じ棒部を取外して引出機構を操作する引出ハンドルとし利用できるため、個別に引出ハンドルを必要とせず、引出ハンドルの収納スペースの確保や紛失の懸念を払拭でき、使い勝手の良い引出形遮断器を提供することができる。
【発明を実施するための最良の形態】
【０００９】
実施の形態１．
図１はこの発明の実施の形態１における引出形遮断器の斜視図、図２及び図３は図１における要部断面図、図４は手動操作ハンドル装置の一部を取外した斜視図である。
【００１０】
図１に示すように、遮断器本体１は配電盤などの構造物に固定される引出枠２に引出可能に収容されており、図は遮断器本体１が引出枠２に挿入された状態、すなわち、遮断器本体１側の導体（図示せず）と引出枠２側に設けられた主回路ジャンクション（図示せず）とが電気的に接続されている状態を示している。遮断器本体１と引出枠２のそれぞれの両サイドには、伸縮自在の引出レール３が設けられており、また、下部側には後述の引出機構が設けられている。そして、遮断器本体１の正面部１ａの下部には引出ハンドルを挿入するための挿入穴１ｂが設けられている。
【００１１】
遮断器本体１内には、後述の投入ばねを蓄勢する蓄勢部を有し、投入ばねが電動又は手動により蓄勢できるようになっているが、手動で蓄勢するための手動操作ハンドル装置４が、遮断器本体１の前面部１ａに設けたハンドル収納部１ｃに、外部から操作可能に設けられている。また、前面部１ａには遮断器本体１の可動接触子（図示せず）を投入させるＯＮボタン５、及び引き外すＯＦＦボタン６が設けられている。
【００１２】
先ず図２により投入ばねの蓄勢部７について説明する。遮断器本体１の筐体に回動自在に設けられたカムシャフト８に、ラチェット９とカム１０が固着されている。そして、カム１０上を転動するローラ１１を一端に有するチャージアーム１２が、固定軸１３を支点として回動し、その他端は投入ばね１４に係止されている。上記８〜１４で蓄勢部７を構成するが、図では本発明の説明に必要な最少部品構成のみを示している。実際は更に多くの構成部品を有するが、それらは本発明の主要部ではないので省略する。
手動操作ハンドル装置４は、この蓄勢部７の駆動軸であるカムシャフト８に固着されてカムシャフト８と一体で回動する軸部４１と、軸部４１に螺合されて着脱可能に設けられた棒部４２とで構成されている。
【００１３】
手動操作ハンドル装置４により投入ばね１４を手動で蓄勢する場合について説明する。図２の状態から、手動操作ハンドル装置４の棒部４２を握って矢印Ａ方向に引倒す動作を数回行うと、ラチェット９及びカム１０がカムシャフト８を中心に反時計方向に回転する。カム１０の回転によりチャージアーム１２に設けたローラ１１がカム１０上を転動するので、チャージアーム１２は固定軸１３を支点に時計方向に回動し、投入ばね１４が押圧されて蓄勢される。
この状態で、前面部１ａに設けられたＯＮボタン５を押すことで、図示しないリンク機構等が動作して投入ばね１４の蓄勢が開放され、遮断器本体１に設けられた主回路通電部の接点が接触して導通状態となる。
【００１４】
なお、可動接点，固定接点を有する主回路通電部や、それらを開閉させる開閉機構やリンク機構等は、本発明の主要部ではないので図示及び説明は省略している。
また、この遮断器本体１の導通・非導通に拘わるＯＮ及びＯＦＦ操作についても、本発明の要部ではないため、これ以上の詳しい説明は省略する。
【００１５】
次に、引出機構１５について簡単に説明する。図３は図１を側面から見た部分断面図であり、引出機構１５部分の概略を示すものである。遮断器本体１の前面部１ａの下部に形成された挿入穴１ｂの内側に、前面側から背面側に向けてメインスクリュー１６が回転可能に筐体に固定されている。挿入穴１ｂに対向する側は引出ハンドルと係合する操作部である六角穴１６ａが形成され、他端の背面側には引出枠２側に突設されたインサートスクリュー１７と螺合する雄ねじ１６ｂが形成されている。
なお、図に示すのは主要部のみであり、本発明に直接関係ない部分は図示を省略している。また、この引出機構１５は遮断器本体１の外部からハンドル操作により操作できるものであればよく、図の形状に限定するものではない。
【００１６】
引出機構１５の動作を説明する前に、先に説明した手動操作ハンドル装置４の着脱と詳細構成について説明する。手動操作ハンドル装置４は、先述のように棒部４２が軸部４１に着脱可能に構成されているので、棒部４２を遮断器本体１の前面部１ａより引き出した状態（図２の一点鎖線に相当）で、軸心に対し反時計方向に回すと軸部４１から取り外すことができる。
【００１７】
棒部４２を軸部４１から外した状態を図４に示す。図のように、棒部４２の一端は軸部４１に設けた雌ねじ部４１ａと螺合する雄ねじ部４２ａが形成されており、更にこの雄ねじ部４２ａの先端には六角レンチ部４２ｂが設けられている。この六角レンチ部４２ｂは引出機構１５の操作部である六角穴１６ａに係合する係合部となる。また、他端側には端部近傍を回動中心として、把持部４３ａ，４３ｂが、例えばネジやリベットで回動可能に取り付けられている。この把持部４３ａ，４３ｂは、棒部４２の軸線に対し略９０度、図に一点鎖線で示すように開閉可能に設けられており、折畳むとほぼ棒部４２の外形となる。把持部４３ａ，４３ｂの部材は別部材としているが、実際の製作においては、例えば、棒部４２の先端側からほぼ半分程度まで、軸方向に対し平行に、棒部を３分割するように切出して利用すれば、材料を節約できる。
【００１８】
把持部４３ａ，４３ｂを棒部４２に折畳んで収納した際、遮断器本体１のハンドル収納部１ｃへスムーズに納まるよう、把持部４３ａ，４３ｂと棒部４２の相対向する位置に、例えば凹凸によるクリック部を設けておくことが好ましい。
また、図では把持部を４３ａ，４３ｂと２個設けたものを示したが、どちらか一方であっても良いことは言うまでもない。
更に、把持部を含む棒部は、図の形状に限定するものではなく、例えば、棒部自身を長さ方向の中央付近で折り曲げ可能として、必要時に折り曲げて把持部に利用できるようにしてもよい。要は、棒部が軸部から取外し可能で、かつ、引出機構の操作部に係合可能な係合部を備えた形状のものであればよい。
【００１９】
次に、引出形遮断器の保守点検等において、引出機構１５により遮断器本体１を引出枠２から引き出す場合の操作について説明する。先ず、事前作業として、手動操作ハンドル装置４から棒部４２を外し、図４の一点鎖線で示すように把持部４３ａ，４３ｂを開いておく。以下、この状態のものを引出しハンドルと称することにする。
【００２０】
図１に一点鎖線で示すように、挿入穴１ｂに引出ハンドルを挿入し、その係合部４２ｂを引出機構１５の操作部であるメインスクリュー１６の六角穴１６ａに係合させ、この引出ハンドルを反時計方向に回転させることで、引出レール３が伸び、遮断器本体１が引出枠２から所定の位置まで引き出され、遮断器本体１側の導体と引出枠２側の主回路ジャンクションとが電気的に非接続となり、その後、遮断器本体１を引出枠２から引出すことが可能となる。
挿入作業の場合は、上記と逆の操作を行えばよい。作業が完了すれば、引出ハンドルは、元のように棒部４２を軸部４１にねじ込んで取付け、把持部４３ａ，４３ｂを折畳んでハンドル収納部１ｃへ収納する。
【００２１】
以上のように、本実施の形態の発明によれば、閉操作のために必要な手動操作ハンドル装置を、蓄勢部の駆動軸に固着された軸部とその軸部に取外し可能に設けた棒部とで構成し、棒部には引出機構の操作部に係合可能な係合部を備えたので、必要に応じ手動ハンドル装置の棒部を取外して引出機構の引出ハンドルとして利用することができる。従って、個別に引出ハンドルを必要とせず、引出ハンドルの収納スペースの確保や紛失の懸念を払拭できるため、使い勝手の良い引出形遮断器を提供することができる。
また、棒部に折畳み可能な把持部を設けたので、引出機構の引出ハンドルとして使用する場合は、引出ハンドルの回転操作が容易となる。
更にまた、把持部は、棒部の着脱側とは反対側の端部近傍を回動中心として、棒部の軸線に対し略９０度開閉可能に設けたので、棒部を回転させる際に、開いた把持部に手を掛けて容易に回転させることができ、遮断器本体の引出及び挿入時の操作性が向上する。
【図面の簡単な説明】
【００２２】
【図１】この発明の実施の形態１における引出形遮断器の斜視図である。
【図２】図１における引出形遮断器の蓄勢部の側面断面図である。
【図３】図１における引出形遮断器の引出機構の側面断面図である。
【図４】図１における引出形遮断器の手動操作ハンドル装置の一部を取外した斜視図である。
【図５】従来の引出形遮断器の斜視図である。
【符号の説明】
【００２３】
１  遮断器本体                    １ａ  前面部
１ｂ  挿入穴                        １ｃ  ハンドル収納部
２  引出枠                          ３  引出レール
４  手動操作ハンドル装置            ５  ＯＮボタン
６  ＯＦＦボタン                    ７  蓄勢部
８  カムシャフト（駆動軸）          ９  ラチェット
１０  カム                          １１  ローラ
１２  チャージアーム                １３  固定軸
１４  投入ばね                      １５  引出機構
１６  メインスクリュー            １６ａ  六角穴（操作部）
１６ｂ  雄ねじ                        １７  インサートスクリュー
４１  軸部                        ４１ａ  雌ねじ部
４２  棒部                        ４２ａ  雄ねじ部
４２ｂ  六角レンチ部（係合部）      ４３ａ，４３ｂ  把持部。
【図１】
0004597816.tif 000002
【図２】
0004597816.tif 000003
【図３】
0004597816.tif 000004
【図４】
0004597816.tif 000005
【図５】
0004597816.tif 000006